(57)【要約】      （修正有）【課題】緑化による積載荷重超過の問題を解決し、経済的に施工でき且つ維持管理の省力化を図ることができるプラットホーム等の簡易屋根の緑化構造を提供する。【解決手段】植栽部として蔓性植物３を植栽したプランター２を一対の折屋根板４の水下部に掛け渡して取り付けられたグレーチング５に載置固定し、その下方に排水樋６を設け、さらに雨水等を流下させる排水ドレンパイプ７をプラットホーム上に立設された支柱８内部もしくは側面に設け、支柱８の下端にさらに函状の花壇を配置する。プランター２の内部には、耐根シートと保護マットを敷設して積層し、植栽土壌１７を収容する。植栽土壌１７としては軽量な腐植客土（泥炭）等を使用する。【選択図】図４
0003149397.tif 000002
【実用新案登録請求の範囲】
【請求項１】
耐根シートと保護マットを敷設し、植栽土壌を収容し蔓性植物を植栽したプランターと、屋根の水下部に掛け渡し固定され、前記プランターを載置固定すると共にメンテナンス用通路を兼ねたグレーチングと、蔓性植物を屋根表面上に伝播成長させるためのネットと、排水樋及び排水ドレンとからなることを特徴とするプラットホーム等の簡易屋根の緑化構造。
【請求項２】
屋根の外側端に、上方に向かって内向きに巻込む形状にされた垂れ返しを設けたことを特徴とする請求項１記載のプラットホーム等の簡易屋根の緑化構造。
【請求項３】
育成土壌として腐植客土（泥炭）を使用したことを特徴とする請求項１又は請求項２記載のプラットホーム等の簡易屋根の緑化構造。
【考案の詳細な説明】
【技術分野】
【０００１】
本考案は、都市部におけるヒートアイランド現象の緩和等を目的とする屋根の緑化構造に関し、とくに、駅舎のプラットホームの屋根のような簡易屋根の緑化構造に関するものである。
【背景技術】
【０００２】
都市部の簡易屋根、とくにプラットホーム等に設置された軽量・簡易な屋根（スレート屋根・折板屋根、その他金属屋根や非金属屋根等）は、周辺の高層ビル化に伴う景観形成が求められているばかりでなく、その直下は人が集まる場所でもあり、景観に加え緑化による自然環境復元や景観の向上とヒートアイランド現象の緩和、大気の浄化、アメニティ空間の創出を目的にして、緑化が図られるべきである。
【０００３】
そこで、ビルの屋上部分に芝生等を植栽して緑化し、その断熱作用によって二酸化炭素（ＣＯ２）排出量を低減し、都市部におけるヒートアイランド現象を緩和する試みも数多くなされている。しかしながら、プラットホーム等に設置された簡易な軽量屋根の緑化に当たっては、屋根に過剰な負荷がかからないようにする必要があるので、ビルの屋上と同様の手法で緑化する場合は、屋根の躯体等に特別の補強や防水処理を施す等の対策が要求される。
【０００４】
そこで、従来、折版屋根の谷部等に生育させる緑化システムを植栽パックによって構成したもの（特許文献１参照。）。折板屋根の緑化構造に関するもの（特許文献２参照。）。蔓植物を用いた屋根の緑化システム（特許文献３参照。）。プランターを支持する支持体が、連結装置を介して、屋上立ち上げ部等の略垂直に立設された壁部に固定される緑化装置（特許文献４参照。）。上方が開放された空間に設置された屋根状の覆いと、覆いを空間内で保持する柱等の保持手段と、覆いの上に設置された緑化設備とを備える緑化構造（特許文献５参照。）等々が提案されている。
【先行技術文献】
【特許文献】
【０００５】
【特許文献１】特許第４１５２８２４号公報
【特許文献２】特開２００８−１２５３８７号公報
【特許文献３】特開２００８−４８６７６号公報
【特許文献４】特開平１０−１０８５４７号公報
【特許文献５】特開２００７−１２００９４号公報
【考案の概要】
【考案が解決しようとする課題】
【０００６】
しかしながら、上記先行技術は、いずれも屋根全体に植栽基盤を設けて緑化するものであることから、積載荷重の問題、屋根全面へ防水層や保護層を設置しなければならないため、施工の手間とコストが嵩むという問題や降雨における土砂流失や雨水排水への対策が必要になる。また、施肥・散水等のメンテナンスも難しいという問題があった。建物における屋上緑化のニーズはさらに増大しており、とくに、駅舎のプラットホームの簡易屋根においては、荷重制限や植栽基盤の保持等の問題があることから、緑化を経済的に行なうことや取扱いとメンテナンスを容易にするための解決策が嘱望されていた。
【０００７】
本考案は、上記従来の技術の課題に鑑み、緑化による積載荷重超過の問題を解決し、経済的に施工でき且つ維持管理の省力化を図ることができるプラットホーム等の簡易屋根の緑化構造を提供することを目的とするものである。
【課題を解決するための手段】
【０００８】
そこで、本考案に係るプラットホーム等の簡易屋根の緑化構造は、耐根シートと保護マットを敷設し、植栽土壌を収容し蔓性植物を植栽したプランターと、屋根の水下部に掛け渡し固定され、前記プランターを載置固定すると共にメンテナンス用通路を兼ねたグレーチングと、蔓性植物を屋根表面上に伝播成長させるためのネットと、排水樋及び排水ドレンとからなることを第１の特徴とする。また、屋根の外側端に、上方に向かって内向きに巻込む形状にされた垂れ返しを設けたことを第２の特徴とする。さらに、育成土壌として腐植客土（泥炭）を使用したことを第３の特徴とする。
【考案の効果】
【０００９】
本考案によれば、以下の優れた効果がある。
（１）駅舎のプラットホーム等の軽量な簡易屋根を緑化できる。
（２）施工、取り扱い及び維持管理が容易である。
（３）育成土壌として泥炭（ルーフソイル：商品名：株式会社マサキ・エンヴェック社製）を使用しているので、保水・排水・保肥性に
【図面の簡単な説明】
【００１０】
【図１】本考案に係るプラットホームの屋根の緑化構造を示す正面図である。
【図２】図１の平面図である。
【図３】潅水パイプの配置例を示す屋根の平面図である。
【図４】図１の要部拡大断面図である。
【図５】プランター内部を示す要部拡大断面図である。
【考案を実施するための形態】
【００１１】
以下に本考案に係る実施形態を図面に示す実施例にしたがって説明する。図１は本考案に係るプラットホームの屋根の緑化構造を示す正面図、図２は図１の平面図、図３は潅水パイプの配置例を示す屋根の平面図、図４は図１の要部拡大断面図、図５はプランター内部を示す要部拡大断面図である。
【実施例】
【００１２】
図１は本考案に係るプラットホームの簡易屋根１の全体構造を示す断面図であり、植栽部として蔓性植物３を植栽したプランター２を一対の折屋根板４の水下部に掛け渡して取り付けられたグレーチング５に載置固定し、その下方に排水樋６を設け、さらに雨水等を流下させる排水ドレンパイプ７をプラットホーム１０上に立設された支柱８内部に設け、支柱８の下端には、さらに函状の花壇９を配している。また、図２に示すように、グレーチング５にはその内部に潅水パイプ１８が内装され各プランター２に分岐されている。尚、図３に示すように、潅水パイプ１８をある一定の長さでループ状に形成し、これを１単位として、屋根の長さに応じて複数個配置するようにすると施工が簡便になる。
【００１３】
すなわち、通常はスレート材等で形成される簡易屋根４の最も耐荷重性がある支柱８の直上付近に複数のプランター２を屋根１の長手方向に沿って左右二列に所定間隔をもって配置する。そして、蔓性植物３を屋根１表面上に伝播成長させるためにネット１１を布設する。ネット１１の一端側はプランター２の上端と、他端側（屋根１縁部）にピン１１ａにより固定される。グレーチング５は、作業者が歩行するメンテナンス用通路としても機能させるため、グレーチング５の屋根４の表面に接する左右端部及び支持束１２の下端部に緩衝材としてのゴム製パッド１３を介して固定される。また、屋根１の両側縁部には成長した蔓性植物３が屋根板４からホーム１０に垂れ下がることを防止するために内巻きに形成された垂れ返し板４ａが取り付けられる。
【００１４】
図４及び図５に示すように、プランター２は左右の下端壁をアングル鋼製のストッパー１４を介してグレーチング５にボルト・ナットにより確実に締結されている。プランター２の内部には、耐根シート１５と保護マット１６を敷設して積層し、植栽土壌１７を収容し、蔓性植物３が植栽されている。植栽土壌１７としては、軽量な腐植客土（泥炭）等を使用するのが良い。
【００１５】
腐植客土としては、泥炭を特殊な化学処理と微生物処理を施したものを用い、化学処理では泥炭中の有害物質を除去し、微生物処理では微生物溶剤を混合する。腐植客土は、高い吸水率とイオン交換率を示し保水性と保肥力に優れ、酸塩基に対し緩衝作用を有している。また、腐植客土は長期間土壌の性質が変性し難く、栽培床が硬く締まることもない。そのため、植物の根張りが良好になり、栽培に適した保水力、透水性、保肥性、通気性を良好に確保できる。尚、本実施例では、腐植客土としてルーフソイル（商品名：株式会社マサキ・エンヴェック社製）を使用した。
【００１６】
このように、軽量・簡易な屋根１の最も耐荷重性がある支柱８の直上付近にプランター２を左右に配置し、蔓性植物３の苗を植え付けると、蔓性植物３が両側の屋根４の傾斜面に倣ってネット１１上を伝って屋根全面に広がり緑化されることになる。尚、メンテナンス用の主要通路として使用されるグレーチング５は、ボルト接合式により着脱可能とし、傾斜部分にも植栽状況や各パーツの管理点検のためのグレーチング製の枝通路を適宜配置することで管理作業が容易になる。勿論、プラットホームの屋根のみならず、本考案の構造を既存の軽量・簡易な屋根に適用できることは言うまでもない。
【００１７】
尚、本考案は、上記実施例に限定されるものではなく、この考案の要旨の範囲内で適宜変更し得ることは言うまでもない。例えば、プランターのサイズや設置個数、植栽する蔓性植物の品種は任意である。
【符号の説明】
【００１８】
１    簡易屋根
２    プランター
３    蔓性植物
４    屋根板（スレート屋根）
４ａ  垂れ返し板
５    グレーチング
６    排水樋
７    排水ドレンパイプ
８    支柱
９    花壇
１０  プラットホーム
１１  ネット
１１ａピン
１２  支持束
１３  緩衝材（ゴム製パッド）
１４  ストッパー（アングル鋼）
１５  耐根シート
１６  保護マット
１７  植栽土壌（泥炭）
１８  潅水パイプ
【図１】
0003149397.tif 000003
【図２】
0003149397.tif 000004
【図３】
0003149397.tif 000005
【図４】
0003149397.tif 000006
【図５】
0003149397.tif 000007